(57)【特許請求の範囲】
【請求項１】
内部又は外部に画像出力を２分する画像出力分配器を備え、キーボード及びマウスについてそれぞれ同時に入力可能な種類Ａ及び種類Ｂの入力端子を備えた２台のパソコン機器と、
前記種類Ａのキーボード及びマウス並びに１のディスプレイからなる第１の外部接続機器と、
前記種類Ｂのキーボード及びマウス並びに１のディスプレイからなり、前記第１の外部接続機器とは別位置に配置された第２の外部接続機器と、
前記第１の外部接続機器が接続される前記パソコン機器を選択する第１の切替え器と、
前記第２の外部接続機器が接続される前記パソコン機器を選択する第２の切替え器とを有し、
前記第１、第２の切替え器を独立に切り換えて、対応する前記第１、第２の外部接続機器のそれぞれが、前記２台のパソコン機器のいずれか１を選択して接続可能となって、
前記キーボード及びマウスの種類Ａ、種類Ｂの入力端子は、それぞれＰＳ／２ポート及びＵＳＢの接続端子であることを特徴とするパソコン入力システム。
【発明の詳細な説明】
【０００１】
【発明の属する技術分野】
本発明は、ネットワークや特別なプログラム又は特別なマイコン制御装置等を使用しないで、ＣＰＵ（中央演算処理装置）、ＲＡＭ及びＲＯＭ等の記憶手段並びに入出力インターフェイス（Ｉ／Ｏ）を備えるパソコン機器に接続されるキーボード、マウス、ディスプレイをメカニカル、即ちハード的に切替えながら、複数のパソコン入力者が同一あるいは別の画面を見ながら、コンピュータへの入力作業が可能なパソコン入力システムに関する。
【０００２】
【従来の技術】
近年、医療分野においては、カルテ公開や電子化の潮流が迫ってきており、パソコン（パーソナルコンピュータ）内に患者の診療データを記載する電子カルテが普及しはじめている。このような電子カルテなどの入力作業においては、医師等のメイン入力者がレセプト（形式的情報を含む）の部分も含めた電子カルテの全ての入力作業を行っていたのでは、診療に時間がかかりすぎる。特に、パソコンの入力作業に習熟していない医師等がパソコンの入力作業を行おうとすると、患者一人分のパソコン入力に数十分を要することになる。そこで、クラークや医療秘書などのアシスタント（以下、単に「アシスタント」という）を横におき、リモート操作ソフト等を利用して、例えば医師側のメイン入力者のパソコンを操作して、医師とアシスタントが同一画面で作業を行う方法や、医師側のパソコンとは別にもう１台別のパソコンを使用し、医師側がパソコンの入力を完了した後にその患者カルテを終了し、もう１台のパソコンからその患者カルテを立ち上げ、医師が入力したデータを基にして更にアシスタント入力者が補助的な入力を行う方法が行われている。
また、以上のような２人でパソコン入力を行う方法として、医師側のメイン入力者のパソコンにアシスタント入力者がリモート操作ソフトを用いてパソコン入力作業を行ったり、マイコンを使った付属装置を用いて疑似入力信号を送り、１台のパソコン本体を２人以上で使用して入力介助する方法も知られている。
【０００３】
【発明が解決しようとする課題】
しかしながら、リモート操作ソフトを用いてパソコンの入力作業を行ったり、マイコンを使って疑似入力信号を送る方法では、医師がパソコンに患者のカルテの入力を終了した後はそのパソコンが一時的にアシスタント入力者に占領され、医師がそのパソコンを使用して別の患者のカルテを見ることができないという問題があるほか、既に入力が終了した患者カルテに追加の記載事項などを医師が入力する場合には、アシスタント側の仕事が中断されるという問題がある。
更には、前記したリモート操作ソフトを用いる方法では、作業を行うディスプレイの画面が狭くなったり、画面の解像度が落ちたり、更には接続切替えに時間がかかる等の問題がある。
【０００４】
勿論、一つのパソコン本体のキーボードやマウスの入力端子に、並列に医師側のキーボード及びマウスと、アシスタント側のキーボード及びマウスを接続する方法もあるが、医師側とアシスタント側が同時にキーボードやマウスを使用すると、動作しなかったり、あるいはパソコンが停止してしまうという問題がある。
医師側とアシスタント側の両方にそれぞれパソコンを配置する方法では、医師側が患者カルテの入力が済んだパソコンを終了した上で、アシスタント側のパソコンで医師側が入力した患者カルテを立ち上げて補助的な入力をすることになるので、その間に時間ロスが発生するという問題がある。更に、アシスタントが患者カルテに対して疑義があった場合には、一旦アシスタント側のパソコンを終了した上で医師側のパソコンの作業も中断し、医師側のパソコンで疑義が生じた患者カルテを立ち上げる必要があるという問題がある。
【０００５】
このような問題は、医師とアシスタントとの両者がパソコン入力を行う場合だけでなく、工場、会社、場合によっては家庭においても２人の者が同時にパソコンに入力を行おうとする場合に共通に発生する問題であった。
本発明はかかる事情に鑑みてなされたもので、特別なソフト等は使用せず、本来あるパソコンの機能を活用して、２人の作業者が２台のパソコンの入力作業を行えるパソコン入力システムを提供することを目的とする。
【０００６】
【課題を解決するための手段】
前記目的に沿う本発明に係るパソコン入力システムは、内部又は外部に画像出力を２分する画像出力分配器を備え、キーボード及びマウスについてそれぞれ同時に入力可能な種類Ａ及び種類Ｂの入力端子を備えた２台のパソコン機器と、前記種類Ａのキーボード及びマウス並びに１のディスプレイからなる第１の外部接続機器と、前記種類Ｂのキーボード及びマウス並びに１のディスプレイからなり、前記第１の外部接続機器とは別位置に配置された第２の外部接続機器と、前記第１の外部接続機器が接続される前記パソコン機器を選択する第１の切替え器と、前記第２の外部接続機器が接続される前記パソコン機器を選択する第２の切替え器とを有し、前記第１、第２の切替え器を独立に切り換えて、対応する前記第１、第２の外部接続機器のそれぞれが、前記２台のパソコン機器のいずれか１を選択して接続可能となって、
前記キーボード及びマウスの種類Ａ、種類Ｂの入力端子は、それぞれＰＳ／２ポート及びＵＳＢの接続端子である。
【０００７】
ここで、使用するパソコン機器には、周知のＣＰＵ、ＲＡＭ、ＲＯＭ、及びＩ／Ｏを有し、そのコンピュータオペレーティングシステム（ＯＳ、基本システム）には、マイクロソフト社の「ウインドウズ９５、９８、Ｍｅ、２０００、ＸＰ（商標名）」が使用されているのが好ましいが、他のコンピュータシステム（例えば、マック、ユニックス（商品名）等）を使用することもできる。
画像出力分配器は、一つのパソコン機器の画像出力を並列に分けることができるものをいい、例えば、切替え器やパソコン機器に複数のビデオＲＡＭを取付けて分配する機器があり、これらはパソコン機器の内部に一体的に収納されている場合の他、外部に配置されている場合も含む。
この発明に係るパソコン入力システムにおいては、第１、第２の外部接続機器が接続されるパソコン機器を、２台のパソコン機器から選択することができる。第１、第２の外部接続機器を介してパソコンの入力を行うパソコン入力者は、他の作業者がいずれのパソコン機器についての仕事をしているか否かに係わらず、任意にパソコン機器を選んでパソコンの入力を行うことができる。従って、第１、第２の外部接続機器を同一のパソコン機器に接続した場合には、２人のパソコン入力者が、それぞれキーボードとマウスを使用して一つのパソコン機器を共用して作業を行うことができる。
【０００８】
また、２つのパソコン機器に同一又は異なるデータを入れておき、第１、第２の外部接続機器から必要に応じて切り換えて使用できる。
更には、キーボード及びマウスのＡ、Ｂ２種類の入力端子は、ＰＳ／２ポート（Ｐｅｒｓｏｎａｌ  Ｓｙｓｔｅｍ／２  Ｐｏｒｔ）及びＵＳＢ（Ｕｎｉｖｅｒｓａｌ  Ｓｅｒｉａｌ  Ｂｕｓ）であるので、市販のパソコンをそのまま利用して本発明のパソコン入力システムを構成することが可能となる。ＰＳ／２ポートとはＰＣ互換機でのキーボード及びマウスのインターフェース（又はそのコネクタ）をいう。ＵＳＢとは１９９５年に、米インテル社、米マイクロソフト社等の７社が共同で発表したパソコン用のシリアルインターフェイスをいう。
【０００９】
なお、ＯＳをウインドウズ（商標）とするパソコンにおいては、入力装置であるキーボードとマウス及びディスプレイを並行して使用可能とするには、ＰＳ／２ポート入力の機器では困難であり、ＵＳＢ入力の機器と組合わせることによって可能である。ここで、ＵＳＢ入力のそれぞれの２つのキーボードとマウスを一つのパソコンに接続することによって、理論的には入力を行うことも可能であるが、実際には動作が不安定であり、途中でパソコンの動作が止まってしまい、パソコン自体の再起動を必要とする場合もあり、電子カルテの入力にあっては、パソコンを再起動するとその前に入力したデータが消えてしまうこともあり、あってはならないことである。
また、例えば、病院等において医師等のメイン入力者とアシスタント入力者が別々の作業を行うためには、ソフトに依らずメカニカル（ハード的）に切替えを行うのが最良と考えられる。ここで、ＰＳ／２ポートとＶＧＡ（ＶＩＤＥＯ  ＧＲＡＰＨＩＣＳ  ＡＲＲＡＹ）切替え器並びにＵＳＢとＶＧＡ切替え器を併用して使用すれば（図２参照）、入力システムだけでなく、画像出力であるＶＧＡ画像も瞬時に切替え可能である。また、このようなＰＳ／２ポートとＶＧＡ切替え器やＵＳＢとＶＧＡ切替え器を有する切替え装置には、接続されているキーボードからの特別な入力信号（例えば、「Ｃｔｒｌ」キーを２回連続押し）を検知して、ハード的に入力を切り換えることもできる。
【００１０】
【発明の実施の形態】
続いて、添付した図面を参照しつつ、本発明を具体化した実施の形態につき説明し、本発明の理解に供する。
ここに、図１は本発明の一実施の形態に係るパソコン入力システムのブロック図、図２（Ａ）、（Ｂ）はそれぞれ第１、第２の切替え器の内部配線を示す説明図である。
【００１１】
図１に示すように、本発明の一実施の形態に係るパソコン入力システム１０は、２台のパソコン機器１１、１２を有している。パソコン機器１１、１２はそれぞれパソコン本体１３、１４と、パソコン本体１３、１４からの画像出力を２分する画像出力分配器１５、１６とを有している。パソコン本体１３、１４は市販のもの、例えばＯＳがウインドウズ（商標）タイプのもの等を使用できるが、内部にキーボード及びマウス接続用のＰＳ／２ポート（種類Ａの入力端子の一例）とＵＳＢ接続端子（種類Ｂの入力端子の一例）を有するものを使用するのが好ましい。
なお、この実施の形態では、パソコン本体１３には、ディスプレイの出力端子１３ａ、キーボード及びマウス用のＰＳ／２ポートの出力端子１３ｂ、１３ｃ、及びＵＳＢの接続端子１３ｄが設けられ、パソコン本体１４には、ディスプレイの出力端子１４ａ、キーボード及びマウス用のＰＳ／２ポートの出力端子１４ｂ、１４ｃ、及びＵＳＢの接続端子１４ｄがそれぞれ設けられている。
【００１２】
画像出力分配器１５、１６は、パソコン本体１３、１４からの画像出力を２分割できるものであればよく、内部に信号の減衰を防止するための増幅装置を設けているものであってもよいし、一般に市販されているビデオＲＡＭボードを２枚用意し、これらをパソコン本体１３、１４にそれぞれ取付けてもよい。この画像出力分配器１５、１６はパソコン本体１３、１４の内部に設けてもよいし、外付けであってもよい。
【００１３】
また、パソコン入力システム１０には、パソコン機器１１、１２に接続される第１、第２の切替え器１７、１８を備えている。図２（Ａ）に示すように、第１の切替え器１７には、パソコン本体１３からの画像出力とパソコン本体１４からの画像出力を切り換える切替え部１９と、パソコン本体１３からの２つのＰＳ／２ポートとパソコン本体１４からの２つのＰＳ／２ポートと切り換える切替え部２０、２１が設けられている。これらの切替え部１９〜２１は連動して切替えられ、第１の切替え器１７の出力側の端子２２〜２４に接続されているディスプレイ２５、ＰＳ／２接続のキーボード２６及びＰＳ／２接続のマウス２７を、パソコン本体１３とパソコン本体１４とのいずれか一方に切替えて接続できるようになっている。ここで、ディスプレイ２５、ＰＳ／２接続のキーボード２６及びＰＳ／２接続のマウス２７が第１の外部接続機器を構成する。
【００１４】
また、図２（Ｂ）に示すように、第２の切替え器１８には、パソコン本体１３からの画像出力とパソコン本体１４からの画像出力を切り換える切替え部２８と、パソコン本体１３からのＵＳＢ端子とパソコン本体１４からＵＳＢ端子を切り換える切替え部２９が設けられている。ＵＳＢの切替え部２９の出力側はキーボードとマウス用に２つのＵＳＢの出力端子３０、３１を有している。これらの切替え部２８、２９は連動して切替えられ、第２の切替え器１８の出力側の端子３２に接続されているディスプレイ３３、出力端子３０、３１に接続されているＵＳＢ接続のキーボード３４及びＵＳＢ接続のマウス３５を、パソコン本体１３とパソコン本体１４とのいずれか一方に切替えて接続できるようになっている。ここで、ディスプレイ３３、ＵＳＢ接続のキーボード３４及びＵＳＢ接続のマウス３５が第２の外部接続機器を構成する。
なお、図２（Ａ）、（Ｂ）においては、理解を容易にするため各切替え部１９〜２１及び２８、２９を有接点式のスイッチで示しているが、無接点式（半導体式）のスイッチであってもよい。これらの切替えは、キーボード２６、３４やマウス２７、３５に組み込んでもよく、更には別に設けてもよい。なお、各切替え部１９〜２１及び２８、２９の動作は、前記のようにキーボードからの特別な入力を検知して切り換えてもよいし、別にスイッチを設けて切り換えてもよい。
【００１５】
従って、以上の構成となったパソコン入力システム１０においては、例えば、病院の医師等のメイン入力者側に第１の外部接続機器を構成するディスプレイ２５、キーボード２６及びマウス２７を配置する。そして、アシスタント入力者に第２の外部接続機器を構成するディスプレイ３３、キーボード３４及びマウス３５を配置し、それぞれのパソコン機器１１、１２の電源をオンにする。
今、パソコン本体１３にある電子カルテに入力を行う場合には、メイン入力者が第１の切替え器１７をパソコン機器１１側に切替えて、ディスプレイ２５を見ながら、キーボード２６及びマウス２７を用いてパソコン本体１３にデータ入力を行う。この場合、アシスタント入力者も第２の切替え器１８をパソコン機器１１側に切り換えて、パソコン本体１３の入力状況をディスプレイ３３を通じて見ることができる。そして、メイン入力者が入力を間違えた場合あるいはメイン入力者の入力が不足する場合には、自分のキーボード３４及びマウス３５を用いてパソコン本体１３に入力を行うことができる。
【００１６】
この場合、メイン入力者はＰＳ／２ポートに接続されるキーボード２６及びマウス２７を用い、アシスタント入力者はＵＳＢ端子に接続されるキーボード３４及びマウス３５を用いるので、パソコン本体１３が動作停止（フリーズ）等の障害を起こすことなく、安定に作業を行える。
また、アシスタント入力者は必要な場合には、第２の切替え器１８をパソコン機器１２側に切り換えて、パソコン本体１４への入力をも行うことができる。また、メイン入力者は必要によって第１の切替え器１７を切り換えてパソコン本体１４の入力を任意に行うこともできる。
【００１７】
【００１８】
【発明の効果】
請求項１記載の発明は以上のように、内部又は外部に画像出力を２分する画像出力分配器を備え、キーボード及びマウスについてそれぞれ同時に入力可能な種類Ａ及び種類Ｂの入力端子を備えた２台のパソコン機器と、種類Ａのキーボード及びマウス並びに１のディスプレイからなる第１の外部接続機器と、種類Ｂのキーボード及びマウス並びに１のディスプレイからなり、第１の外部接続機器とは別位置に配置された第２の外部接続機器と、第１の外部接続機器が接続されるパソコン機器を選択する第１の切替え器と、第２の外部接続機器が接続されるパソコン機器を選択する第２の切替え器とを有し、第１、第２の切替え器を独立に切り換えて、対応する第１、第２の外部接続機器のそれぞれが、２台のパソコン機器のいずれか１を選択して接続可能となっているので、２人のパソコン入力者が同時に同一の又は場合によっては異なるパソコン機器に、外部接続機器を接続して作業を行える。
この場合、キーボード及びマウスのＡ、Ｂ２種類の入力端子は、ＰＳ／２ポート及びＵＳＢの接続端子であるので、市販のパソコンを利用してシステムを組むことができる。
【図面の簡単な説明】
【図１】本発明の一実施の形態に係るパソコン入力システムのブロック図である。
【図２】（Ａ）、（Ｂ）はそれぞれ第１、第２の切替え器の内部配線を示す説明図である。
【符号の説明】
１０：パソコン入力システム、１１、１２：パソコン機器、１３：パソコン本体、１３ａ、１３ｂ、１３ｃ：出力端子、１３ｄ：接続端子、１４：パソコン本体、１４ａ、１４ｂ、１４ｃ：出力端子、１４ｄ：接続端子、１５、１６：画像出力分配器、１７：第１の切替え器、１８：第２の切替え器、１９〜２１：切替え部、２２〜２４：端子、２５：ディスプレイ、２６：ギーボード、２７：マウス、２８、２９：切替え部、３０、３１：出力端子、３２：端子、３３：ディスプレイ、３４：キーボード、３５：マウス
【図１】
0003819808.tif 000002
【図２】
0003819808.tif 000003